(57)【要約】【課題】小型で携帯性に優れる携帯電話スタンドを提供する。【解決手段】携帯電話２の側面の一部を載せる第１支持板１１と、この第１支持板１１に連結され、携帯電話２の背面の一部を支える第２支持板１２と、この第２支持板１２に連結され、当該第２支持板１２を支える第３支持板１３と、を備える携帯電話スタンド１を使用する。具体的には、各支持板１１・１２・１３は、互いに回動可能で折り畳み可能に、例えば一方に設けたボス１４・１５を他方に形成した小孔１６・１７に係合する等で結合されている。さらに、各支持板１１・１２・１３を互いに直角状態に保持可能とする直角保持構造を備える。そして、第３支持板１３の一部には、携帯ストラップ３の接続部１３ｃを備える。【選択図】図４
2008306276.tif 000002
【特許請求の範囲】
【請求項１】
携帯電話の側面の一部を載せる第１支持板と、
この第１支持板に連結され、携帯電話の背面の一部を支える第２支持板と、を備えることを特徴とする携帯電話スタンド。
【請求項２】
前記第２支持板に連結され、前記第２支持板を支える第３支持板を備えることを特徴とする請求項１に記載の携帯電話スタンド。
【請求項３】
前記支持板は、互いに回動可能で折り畳み可能に結合されていることを特徴とする請求項１または２に記載の携帯電話スタンド。
【請求項４】
前記支持板を互いに直角状態に保持可能とする直角保持構造を備えることを特徴とする請求項１から３のいずれか一項に記載の携帯電話スタンド。
【請求項５】
前記支持板の一部に、携帯ストラップの接続部を備えることを特徴とする請求項１から４のいずれか一項に記載の携帯電話スタンド。
【発明の詳細な説明】
【技術分野】
【０００１】
本発明は、携帯電話スタンドに関する。
【背景技術】
【０００２】
携帯電話を載置する支持板の端部に、携帯電話を貫通してその側部を保持する第１及び第２の保持枠を回動可能に連結してなる折り畳み式携帯電話スタンドがある（特許文献１参照）。
また、携帯電話に設けたスタンドを使用して、携帯電話を横置き状態にして横長の画面で見ることができるようにしたものがある（特許文献２参照）。
【特許文献１】特開２００４−６５８５４号公報
【特許文献２】特開２００５−１０１８７９号公報
【発明の開示】
【発明が解決しようとする課題】
【０００３】
しかし、特許文献１の折り畳み式携帯電話スタンドは、携帯電話を立てたまま第１及び第２の保持枠に貫通して側部を保持させる大型のもので、折り畳んだ状態でも大きいものとなっており、携帯電話とは別に携帯する必要があった。
また、特許文献２のスタンドは、携帯電話を横置き状態にして横長の画面で見ることができるが、携帯電話に設けなければならず、携帯電話のデザイン性と携帯性に影響を与える問題がある。
【０００４】
本発明の課題は、小型で携帯性に優れる携帯電話スタンドを提供することである。
【課題を解決するための手段】
【０００５】
以上の課題を解決するため、請求項１に記載の発明は、携帯電話の側面の一部を載せる第１支持板と、この第１支持板に連結され、携帯電話の背面の一部を支える第２支持板と、を備える携帯電話スタンドを特徴とする。
【０００６】
請求項２に記載の発明は、請求項１に記載の携帯電話スタンドであって、前記第２支持板に連結され、前記第２支持板を支える第３支持板を備えることを特徴とする。
【０００７】
請求項３に記載の発明は、請求項１または２に記載の携帯電話スタンドであって、前記支持板は、互いに回動可能で折り畳み可能に結合されていることを特徴とする。
【０００８】
請求項４に記載の発明は、請求項１から３のいずれか一項に記載の携帯電話スタンドであって、前記支持板を互いに直角状態に保持可能とする直角保持構造を備えることを特徴とする。
【０００９】
請求項５に記載の発明は、請求項１から４のいずれか一項に記載の携帯電話スタンドであって、前記支持板の一部に、携帯ストラップの接続部を備えることを特徴とする。
【発明の効果】
【００１０】
本発明によれば、小型で携帯性に優れる携帯電話スタンドを提供できる。
【発明を実施するための最良の形態】
【００１１】
以下、図を参照して本発明を実施するための最良の形態を詳細に説明する。
図１は本発明を適用した携帯電話スタンドの一実施形態の構成を示すもので、１は携帯電話スタンド、２は携帯電話、３は携帯ストラップ、４はリング、５は着脱金具、６はリングである。
【００１２】
携帯電話スタンド１には、携帯電話２に装着された携帯ストラップ３の先端部に設けたリング４に対し着脱可能な着脱金具５がリング６を介して備えられている。従って、折り畳まれた状態の携帯電話スタンド１は、その着脱金具５を、携帯電話２に装着された携帯ストラップ３の先端部に設けたリング４に接続することで、携帯電話２と一緒に携行できる。
【００１３】
図２は携帯電話スタンド１を拡大して示し、図３は携帯電話スタンド１を展開した状態を示したもので、１１は第１支持板、１２は第２支持板、１３は第３支持板、１４・１５はボス、１６・１７は小孔である。すなわち、携帯電話スタンド１は、第１支持板１１と第２支持板１２を互いの一端部でボス１４により回動可能で折り畳み可能に結合し、さらに、第２支持板１２の他端部に第３支持板１３の一端部をボス１５により回動可能で折り畳み可能に結合してなる。
【００１４】
具体的には、第１支持板１１、第２支持板１２及び第３支持板１３は、互いに重なり合う何れも小さな四角形をなす合成樹脂製のものである。
第１支持板１１には、一端部の両側に突片１１ａが形成されて、他端側の両側に切欠１１ｂが形成されている。この第１支持板１１の一端部両側の突片１１ａを第２支持板１２の一端部両側に当ててボス１４及び小孔１６による係合で結合されて、第１支持板１１と第２支持板１２が回動可能で折り畳み可能となっている。ここで、第２支持板１２の一端部両側にボス１４が一体に形成されて、第１支持板１１の両側の突片１１ａに小孔１６が形成されている。
【００１５】
第２支持板１２には、他端部の端面中央に窪み１２ａが形成されている。この窪み１２ａは、第１支持板１１と第２支持板１２を折り畳んで重ねた状態で、第１支持板１１側に位置する。
第３支持板１３には、両側の側片１３ａが形成されて、さらに、その側片１３ａの一端部側に突起１３ｂが形成されている。この第３支持板１３の側片１３ａの一端部側を第２支持板１２の窪み１２ａを有する他端部両側に当ててボス１５及び小孔１７による係合で結合されて、第２支持板１２と第３支持板１３が回動可能で折り畳み可能となっている。ここで、第２支持板１２の他端部両側にボス１５が一体に形成されて、第３支持板１３の両側の側片１３ａの一端部側に小孔１７が形成されている。
【００１６】
なお、第３支持板１３の側片１３ａは、ボス１５及び小孔１７による結合部と反対側が、図２に示したように、第１の支持板１１、第２支持板１２及び第３支持板１３を折り畳んで重ねた状態で、第１の支持板１１の突片１１ａに合致する形状となっている。
さらに、第３支持板１３の側片１３ａからの突起１３ｂは、図２に示したように、第１の支持板１１、第２支持板１２及び第３支持板１３を折り畳んで重ねた状態で、第１の支持板１１の切欠１１ｂ内に係合する。このような突起１３ｂと切欠１１ｂの係合によって、携帯電話スタンド１の折り畳み状態が保持される。
【００１７】
そして、第３支持板１３の一方の側片１３ａには、着脱金具５のリング６を装着可能な接続部１３ｃが形成されている。この接続部１３ｃは、図示のように、円孔を有する突起状のもので、その円孔にリング６を通して着脱金具５が装着されている。
【００１８】
以上の携帯電話スタンド１は、折り畳むととっても小型・コンパクトであり、その着脱金具５を、携帯電話２に装着された携帯ストラップ３の先端部に設けたリング４に接続することで、携帯電話２と一緒に手軽に携行することができる。
そして、必要なときに、携帯ストラップ３から携帯電話スタンド１を取り外して、展開状態にすることで、携帯電話２を横置き状態に載せる携帯電話スタンド１として便利に使うことができる。
【００１９】
すなわち、図２に示した携帯電話スタンド１の折り畳み状態において、両側の側片１３ａを指先で挟んで、窪み１２ａを利用して他方の手の指先で第１支持板１１を、ボス１４を中心に回動させて第２支持板１２に対し開く一方、側片１３ａ及び接続部１３ｃを利用して指先で第３支持板１３を、ボス１５を中心に回動させて第２支持板１２に対し開く。
【００２０】
これにより、図３に示したように、第１支持板１１と第２支持板１２が直角状態になるとともに、第２支持板１２と第３支持板１３も直角状態になる。この直角状態は、第１支持板１１に対する第２支持板１２の端面の当接により保持されるとともに、第３支持板１３に対する第２支持板１２の端面の当接により保持される。このような直角保持構造となっている。なお、第３支持板１３と第２支持板１２の端部とにおいて、直角の他に、複数の角度位置での保持を可能とする、例えば凹凸係合によるクリック構造を採用しても良い。
【００２１】
こうして携帯電話スタンド１を直角状態に開いた状態にして、図３及び図４に示すように、その第１支持板１１に、横置きにした携帯電話２の側面中央部を載せて、第２支持板１２に、横置きの携帯電話２の背面中央部を支えさせる。従って、図示したような横置きで後傾した状態の携帯電話２の横長画面に映し出されるワンセグ放送、ビデオクリップ、着うたフルなどの音楽、デジタルラジオなどを、例えばカフェ、長距離移動中、学校、オフィスなどの外出先等でも手軽に楽しむことができる。
【００２２】
特に、スピーカーが背面にある携帯電話では、図示のような横置きで後傾状態にして、音響効果を向上することができる。
なお、携帯電話スタンド１は、携帯電話２を縦置きすることもできる。
また、携帯電話スタンド１は、携帯ストラップ用のものであって、さらに、第１支持板１１及び第３支持板１３の表面にオリジナルプリントしたり、シールを貼り付けたりできるため、販売促進グッズとしても良好である。
【００２３】
なお、以上の実施形態においては、一体型携帯電話を例示したが、折り畳み式携帯電話やスライド式携帯電話等であっても良い。
さらに、実施形態では、着脱金具の接続部を第３支持板に設けたが、第１支持板や第２支持板に設けても良い。
また、携帯電話スタンドを構成する支持板の形状や直角保持構造等も任意であり、その他、具体的な細部構造等についても適宜に変更可能であることは勿論である。例えば第２支持板に設けたボスを第１支持板の突片及び第３支持板の側片に形成した小孔に係合したが、逆に、第２支持板に形成した小穴に第１支持板の突片及び第３支持板の側片に設けたボスを係合するようにしても良い。また、ピン結合しても良い。
【図面の簡単な説明】
【００２４】
【図１】本発明を適用した携帯電話スタンドの一実施形態の構成を示すもので、携帯電話スタンドを折り畳んで一例としての携帯電話とともに示した平面図である。
【図２】図１の携帯電話スタンドの拡大斜視図である。
【図３】図２の携帯電話スタンドを展開した状態を示した斜視図である。
【図４】図３の携帯電話スタンドに携帯電話を載せた使用例を示した概略側面図である。
【図５】図４の正面図である。
【符号の説明】
【００２５】
１  携帯電話スタンド
１１  第１支持板
１１ａ  突片
１１ｂ  切欠
１２  第２支持板
１２ａ  窪み
１３  第３支持板
１３ａ  側片
１３ｂ  突起
１３ｃ  接続部
１４  ボス
１５  ボス
１６  小孔
１７  小孔
２  携帯電話
３  携帯ストラップ
４  リング
５  着脱金具
６  リング
【図１】
2008306276.tif 000003
【図２】
2008306276.tif 000004
【図３】
2008306276.tif 000005
【図４】
2008306276.tif 000006
【図５】
2008306276.tif 000007